(57)【要約】【課題】  軽量かつ製作が容易であることに加えて、前記操作板に直接作用する押圧力に対しても係合解除を防止することのできるロック機構付きバックルを提供する。【解決手段】バックルの操作板の上部を水平方向に移動可能なスライド片がバックル本体に設置され、該スライド片が連結軸上にあるときは、バンドはバックルに接近自在であるが後退不能とされ、前記スライド片が前記操作板の一端部側に移動した状態においては前記操作板の揺動が規制され、前記スライド片が前記操作板の他端部側に移動した状態ではバックルとバンドの係合が解除される。【選択図】図１
2013094301.tif 000002
【特許請求の範囲】
【請求項１】
バンド外表面に形成した鋸歯状の係合溝にバックルの係合爪を係合可能としたバックルであって、
該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する操作板とから構成され、該操作板を中間点にて前記両側板を結ぶ連結軸で支承することにより該中間点を支点として揺動自在としたバックルにおいて、
前記操作板の上部を水平方向に移動可能なスライド片が前記バックル本体に設置され、該スライド片が前記連結軸上にあるときは、バンドはバックルに接近自在であるが後退不能とされ、前記スライド片が前記操作板の一端部側に移動した状態においては前記操作板の揺動が規制され、前記スライド片が前記操作板の他端部側に移動した状態では前記係合が解除されることを特徴とするバックル。
【請求項２】
前記スライド片上に掛止部を設けた請求項１記載のバックル。
【請求項３】
前記バックルとバンドを片手の指先で引き寄せることができるように前記天井枠上に掛止部を設けた請求項１または２記載のバックル。
【請求項４】
前記スライド片の移動をガイドすると共に該スライド片の前記操作板の上部における位置を決めるためのスライド溝を前記天井枠の内側に設けたことを特徴とする請求項１〜３のいずれかに記載のバックル。
【請求項５】
バンド外表面に形成した鋸歯状の係合溝にバックルの係合爪を係合させ該係止状態においてバンドはバックルに接近自在であるが後退不能としたバックルであって、
該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成されると共に、該操作板を中間点にて前記両側板を結ぶ連結軸で支承することにより該中間点を支点として揺動自在としたバックルにおいて、
一方向の長さがこれと直交する方向の長さよりも長い回動片が前記操作板の一端部上に９０度回動自在に設置され、かつ、該回動片の長手方向の少なくとも一端部を前記天井枠側から受ける棚部が前記天井枠に形成されてなり、該棚部と前記回動片の一端部との係合状態において前記操作板の揺動が規制されることを特徴とするバックル。
【請求項６】
バンド外表面に形成した鋸歯状の係合溝にバックルの係合爪を係合させ該係止状態においてバンドはバックルに接近自在であるが後退不能としたバックルであって、
該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片と、前記両側板に設置され、該弾性片を両側部から押圧する押圧片とから構成し、該押圧片を片手の指先で撮むことにより前記弾性片を弾発して前記係合溝と係合爪との係合を解除可能としたバックルにおいて、
一方向の長さがこれと直交する方向の長さよりも長い回動片が前記弾性片上に９０度回動自在に設置され、かつ、該回動片の長手方向の少なくとも一端部を前記天井枠側から受ける棚部が前記天井枠に形成されてなり、該棚部と前記回動片の一端部との係合状態において前記弾性片の弾発が規制されることを特徴とするバックル。
【発明の詳細な説明】
【技術分野】
【０００１】
この発明は、係合溝を有するバンドまたはベルトを係止するためのバックルに関し、特に、運動靴、競技用靴、スノーボード靴、プロテクター係止ベルトなど、比較的強い締結力を必要とする製品のためのバックルに関するものである。
【背景技術】
【０００２】
従来、バンド（またはベルト）に係合溝を設け、この溝にバックルのフックを弾性的に係合し、随時、この係止状態を解放可能とするバックルが知られている。
本発明者らは、特許第３９８２９５５号公報（特許文献１）において、製作が容易で、軽量な合成樹脂バックルとして、対向する底板と天井枠および両者を接続する両側板とからなり、内部が係合溝を有するバンドの挿通空間とされたバックル本体と、前記天井枠の内側に水平設置され、一端部下面に前記バンドの係合溝に係合可能な係合爪を有し、他端部上面を押圧部とする操作板とから構成され、該操作板を前記係合爪と前記押圧部の中間点にて、対向する天井枠の二辺に各々連結することにより、該中間点を支点として揺動自在とした合成樹脂製バックルであって、前記バンドの外表面と前記天井枠に、前記バックル本体に該バンドを片手の指先で引き寄せることのできる一対の掛止突起を設けた合成樹脂製バックルを提案している。
【０００３】
前記合成樹脂製バックルは機能的に非常に優れ、ヘルメットのヘッドバンド用バックルとしては最適であるが、前記操作板の係合・解除における操作性を良くする為に操作板を支承する連結軸を細くすると、これを運動靴等の比較的強い締結力を必要とする製品に適用した場合、バンドとバックルの係止時においてバンドにバックルから引き離す方向に強い力が作用して、合成樹脂製の連結軸が破損する虞があった。
【０００４】
一方、通気性を有する帽子としては、帽体に通気孔を設けるもの、帽体の生地の一部または全部にメッシュ素材を用いるもの等が知られている。
帽体に通気孔を設ける方式は、直径１ｍｍ〜５ｍｍ程度の通気孔が帽体の適宜位置に数か所設けられるが、通気孔が小さいため清涼感を感じるのに十分な通気性を確保することはできなかった。また、帽体の生地の一部にメッシュ素材を用いた場合には、通気性を確保することはできるが、メッシュ素材を用いた部分において直接日光が当たるため、被着者は十分な清涼感を感じることができない。さらに、帽体に通気孔を設けたり、帽体の生地の一部にメッシュ素材を用いたりした場合は、外観上の体裁も良くない。
【０００５】
また、本発明者らは、特許第４００５１０９号（特許文献２）において、特に服飾品等の用途として好適なバンドとバックルのスライドアジャスタとして、軽量でシンプルな構成であって、バックル部の目立たない外観を有するスライドアジャスタとして、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなり、かつ、前記連結軸から掛止突起に至る操作板に対して、該掛止突起以外の部分に垂直方向の押圧力が直接作用するのを規制する部材がバックル本体に設けられたものを提案している。
【０００６】
このスライドアジャスタには規制部材が設けられているので、不用意なまたは突発的なロック解除の虞はないものの、前記押圧部または掛止突起に直接作用する押圧力に対しては、ロック解除を防止することはできない。また、前記バックルをバンドから引き抜く際には、前記押圧部を押圧しながら前記バックルを引き抜かなければならないので、操作が煩雑であるという問題があった。
【先行技術文献】
【特許文献】
【０００７】
【特許文献１】特許第３９８２９５５号公報
【特許文献２】特許第４００５１０９号公報
【発明の概要】
【発明が解決しようとする課題】
【０００８】
本発明は、軽量かつ製作が容易であることに加えて、前記操作板に直接作用する押圧力に対しても係合解除を防止することのできるロック機構付きバックルを提供することを目的とするものである。
また、本発明は、スライド片の操作のみで容易に係合ロックおよび係合解除を可能とし、スライド片が連結軸上にあるときはスライド片の作用により、バンドはバックルに接近自在であるが後退不能とされるので、連結軸を弾性のある素材で形成したり、連結軸にバネを用いたりする必要がなく、連結軸の素材を自由に選択してより強度の高いバックルを提供することを目的とするものである。
【課題を解決するための手段】
【０００９】
本発明は、バンド外表面に形成した鋸歯状の係合溝にバックルの係合爪を係合可能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する操作板とから構成され、該操作板を中間点にて前記両側板を結ぶ連結軸で支承することにより該中間点を支点として揺動自在としたバックルにおいて、前記操作板の上部を水平方向に移動可能なスライド片が前記バックル本体に設置され、該スライド片が前記連結軸上にあるときは、バンドはバックルに接近自在であるが後退不能とされ、前記スライド片が前記操作板の一端部側に移動した状態においては前記操作板の揺動が規制され、前記スライド片が前記操作板の他端部側に移動した状態では前記係合が解除されることを特徴とする。
【００１０】
前記スライド片上に掛止部を設けたことが好ましい。
前記バックルとバンドを片手の指先で引き寄せることができるように前記天井枠上に掛止部を設けたことが好ましい。
【００１１】
前記スライド片の移動をガイドすると共に該スライド片の前記操作板の上部における位置を決めるためのスライド溝を前記天井枠の内側に設けたことが好ましい。
【００１２】
本発明は、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成されると共に、該操作板を中間点にて前記両側板を結ぶ連結軸で支承することにより該中間点を支点として揺動自在としたバックルにおいて、一方向の長さがこれと直交する方向の長さよりも長い回動片が前記操作板の一端部上に９０度回動自在に設置され、かつ、該回動片の長手方向の少なくとも一端部を前記天井枠側から受ける棚部が前記天井枠に形成されてなり、該棚部と前記回動片の一端部との係合状態において前記操作板の揺動が規制されることを特徴とする。
【００１３】
本発明は、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片と、前記両側板に設置され、該弾性片を両側部から押圧する押圧片とから構成し、該押圧片を片手の指先で撮むことにより前記弾性片を弾発して前記係合溝と係合爪との係合を解除可能としたバックルにおいて、一方向の長さがこれと直交する方向の長さよりも長い回動片が前記弾性片上に９０度回動自在に設置され、かつ、該回動片の長手方向の少なくとも一端部を前記天井枠側から受ける棚部が前記天井枠に形成されてなり、該棚部と前記回動片の一端部との係合状態において前記弾性片の弾発が規制されることを特徴とする。
【発明の効果】
【００１４】
本発明のバックルは、前記操作板に直接作用する押圧力に対しても係合解除を防止することができる。
また、本発明は、スライド片の操作のみで容易に係合ロックおよび係合解除を可能とし、スライド片が連結軸上にあるときはスライド片の作用により、バンドはバックルに接近自在であるが後退不能とされるので、連結軸を弾性のある素材で形成したり、連結軸にバネを用いたりする必要がなく、連結軸の素材を自由に選択してより強度の高いバックルを提供することができる。従って、このバックルは運動靴等の比較的強い締結力を必要とする製品への適用が最適である。
【図面の簡単な説明】
【００１５】
【図１】バックル１０の斜視図である。
【図２】回動片６０によるロック機構を示す要部縦断側面図である。
【図３】バックル１０とバンド３０の係合状態を示す要部縦断側面図である。
【図４】バックル１０の他の実施形態の斜視図である。
【発明を実施するための形態】
【００１６】
以下、本発明に係るロック機構付きバックルの実施形態を図面に基づいて説明する。
図１はバックル１０の斜視図であり、これらの図において、バックル１０は、底板１１、これに対向する天井枠１２、および底板１１と天井枠１２とを接続する側板１３、１３とからなる偏平かつ筒状のバックル本体１４により主体が構成される。バックル本体１４はバンドのスライド方向が挿通口１５、１５として開口され、その内部は後述する係合溝を有するバンド３０の挿通空間１６となる。
【００１７】
本実施形態では、底板１１の長手方向（バンドのスライド方向）の長さを天井枠１２の長手方向の長さよりも長くすることにより、バックル１０の被接続体（即ち、運動靴用バンド等）への取付を容易にすると共に、バンドの挿通がスムーズに行われるようにすることができる。また、天井枠１２を偏平な板で構成すると共に、操作板２０の一端部２０Ａに対向する天井枠１２を操作板２０と反対方向水平に延伸することによっても同様の効果を得ることができる。
【００１８】
天井枠１２の内側には、その内に納まる大きさの操作板２０が水平に設置される。操作板２０の一端部２０Ａの下面には、バンド３０の係合溝に係合可能な係合爪２１（後記図２を参照。）を突設している。操作板２０は天井枠１２より若干低位置とすることにより、操作板２０の一端部２０Ａまたは他端部２０Ｂが不用意に押し下げられることを防止することができる。
【００１９】
操作板２０の長手方向の中間部には、連結軸２５が形成され、この連結軸２５は各側板１３、１３の上部内壁に支承されている。
この実施形態では連結軸２５の断面を矩形としたが、円形、楕円形、その他種々の断面形状とすることができる。連結軸２５は操作板２０を揺動自在に軸支すると共に、滑らかな操作性を確保する為に可及的に細くすることが望まれるが、反復的な揺動により破損しない形状、大きさとすれば良い。なお、連結軸２５は側板１３、１３に限らず、対向する天井枠１２の二辺に各々連結されていても、後述する作用と同じ作用を発揮することができる。
【００２０】
バックル１０の側板１３、１３には、スライド片４０をスライドさせるためのスライド溝１７、１７が形成される。図１（２）および（３）は、スライド片４０がスライド溝１７、１７に沿って動く状態を示した斜視図である。スライド片４０の表面には、掛止部４２が上方に突出して設けられている。掛止部４２はスライド片４０に必ずしも設ける必要はないが、これを設けることによりスライド片４０のスライド操作を容易とすることができる。本実施形態においてスライド片は矩形の形状としたが、必ずしも矩形でなくともよい。
【００２１】
続いて、上記バックル１０の作用について図２を参照しながら説明する。図２（１）はバックル１０とバンド３０の係合状態を示す要部縦断側面図である。
図２（１）において、バックル１０の挿通空間１６内にバンド３０が挿入され、バンド３０の外表面に形成された係合溝３１に、バックル１０の係合爪２１が係合している。係合溝３１はスライド方向の断面形状が鋸歯状、即ち、バンド３０の進行方向に向けて漸次深くなるテーパ面と、この最深位置より略垂直に立上る壁面とからなっている。
【００２２】
スライド板４０が連結軸２５上に位置するときは、バンド３０を操作板２０の他端部２０Ｂ側（図２において左側）の挿通口１５から挿通空間１６内に進入させていくと、バンド３０の上面が操作板２０の係合爪２１に接触して、操作板２０の一端部２０Ａを押し上げながら前進し（図２（２）を参照。）、バックル１０に対するバンド３０の接近・離隔位置が調節される。
この状態では、図２（１）に示すように、係合爪３１が所定の係合溝１２と噛み合って係止しているので、バンド３０はバックル１０に対して進出自在であるが、後退不能である。
【００２３】
次に、本発明のスライド片によるロック機構について説明する。
前記の通り図２（１）はバンド３０の係合溝３１とバックル１０の係合爪２１との係止状態を示しているが、このときスライド片４０は連結軸２５上に位置しており、操作板２０の他端部２０Ｂに垂直方向の押圧力が作用すると前記係合が解除される。
ここで、図１（２）に示すようにスライド片４０を操作板２０の一端部２０Ａ側にスライド溝１７、１７に沿ってスライドさせれば、スライド片４０により操作板２０の回転が規制されることになり、この状態では他端部２０Ｂは押されても動かない。図２（３）はこの他端部２２Ｂのロック状態を示している。
本実施形態において、スライド片４０の下面が操作板２０の一端部２０Ａの上面に当接するように設定したが、スライド片４０の下面は操作板２０の一端部２０Ａの上面に必ずしも当接しなくても良く、ロック状態におけるスライド片４０の下面と操作板２０の一端部２０Ａの上面との距離は、係合爪２１が係合溝３１から外れない程度に操作板２０の回転が規制される長さとすれば良い。
【００２４】
バックルの他の実施形態について図３を参照しながら説明する。
本実施形態では、スライド片４０上に凹状の掛止部４２が設けられている。
また、天井枠１２上に突起状の掛止部が設けられており、これにより本実施形態におけるバックルと外表面上に掛止部を設けたバンドとを片手の指先で引き寄せることが可能となる。
【００２５】
バックル１０は、合成樹脂により成型した上で、連結軸２５を金属製として強度を高めることができる。これにより、バンド３０をバックル１０から分離する方向に強い力が作用した時に連結軸の破損を防止することができる。
【００２６】
続いて、回動片によるロック機構について、図４を参照しながら説明する。本発明のバックル１０は操作板２０の他端部２０Ｂが押圧部２２とされる。
本実施形態において回動片５０は、バンド３０の挿通方向の長さがこれと直交する方向の長さよりも長く、回動軸により操作板２０の一端部２０Ａ上に９０度回動自在に設けられている。９０度の回動が担保されれば回動片５０の形状には特別の制限はない。
【００２７】
天井枠１２には、回動片５０の長手方向の端部を天井枠１２側から受ける棚部６０が９０度の回動位置に至るまで漸次下降するような傾斜面６２として形成されている。棚部６０は回動片５０を天井枠１２側から支持することのできる大きさであれば良い。
【００２８】
図４（１）はバンド３０の係合溝３１とバックル１０の係合爪２１との係止状態を示しているが、このとき回動片５０は天井枠１２の棚部６０とは係合状態になく、押圧部２２に垂直方向の押圧力が作用するとバックル３０とバンド１０の係合が解除される。
この状態から、回動片５０を回動させると、回動片５０の長手方向両端部が傾斜面６２に沿って天井枠１２側から底板１１方向に移動し、操作板２０の一端部２０Ａに位置する係合爪が押し下げられてバンド３０の係合溝３１と強く噛み合う。図４（２）はこの強固なロック状態を示す要部縦断側面図である。
【００２９】
続いて、回動片と弾性片を用いたバックルについて説明する。
本発明においてバックルは、底板、これに対向する天井枠、および底板と天井枠とを接続する側板とからなる偏平かつ筒状のバックル本体により主体が構成される。バックル本体はバンドのスライド方向が挿通口として開口され、その内部は後述する係合溝を有するバンドの挿通空間となる。
本発明におけるバックルの天井枠の内側には、その内に納まる大きさの弾性片が水平に設置される。弾性片の一端部の下面には、バンドの係合溝に係合可能な係合爪を突設する。
【００３０】
前記側板には、前記弾性片の両側部から押圧する押圧片が設置される。押圧片の端面は前記弾性片の対向辺に傾斜面をもって対向し、該傾斜面の角度を前記底板に近づくに従って前記押圧片と前記弾性片との隙間が狭まるように形成される。また、押圧片の端面を傾斜面に形成する代わりに、前記弾性片の端面を前記押圧片の対向辺に傾斜面をもって対向させ、該傾斜面の角度を前記底板に近づくに従って前記押圧片と前記弾性片との隙間が拡がるように形成しても良い。
【００３１】
続いて、上記バックルの作用について説明する。
バンドを弾性片の他端部側の挿通口から挿通空間内に進入させていくと、バンドの上面が弾性片の係合爪に接触して、弾性片の一端部を押し上げながら前進し、バックルに対するバンドの接近・離隔位置が調節される。
この状態では、係合爪が所定の係合溝と噛み合って係止しているので、バンドはバックルに対して進出自在であるが、後退不能である。
【００３２】
次に、バックルからバンドを後退させたり、引き抜いたりするには、押圧片を片手の指先で撮めば、押圧片（または弾性片）の傾斜面に沿って弾性片が持ち上がる結果、これに伴い係合爪が持ち上がり、係合爪が係合溝から外れるので、バンドを自由にスライドさせることができる。押圧片から指を離せば、押圧片は合成樹脂の弾性により元の位置に復帰する結果、弾性片も元の水平状態に復帰する。
回動片を用いたロック機構については、前述の操作板を備えたバックルにおけるロック機構と同じなので説明を省略する。
【００３３】
本発明において天井枠１２は、必ずしも四辺を備えたものに限られない。操作板２０の一端部２０Ａと対向する一辺については、バックルを軽量化、小型化する場合には、これを省略することができる。
【００３４】
本発明のバックル１０には、前記した特許文献１および特許文献２に開示した要素を取り入れることができる。例えば、連結軸２５の代わりに操作板２０の上縁部と天井枠１２の上部とを連結する連結辺（図示せず。）を用いても良い。
また、操作板２０を水平状態に復元し易くするために操作板２０の一端部２０Ａと対向する天井枠１２等とを連結した連結部材（図１または図３を参照。）を設けても良い。更に、挿通空間１６にはバンド３０の浮き上がりを防止するためのバンド押え（図示せず。）を設けることも可能である。
【符号の説明】
【００３５】
１１０    バックル
１１    底板
１２    天井枠
１３    側板
１４    バックル本体
１６    挿通空間
１７    スライド溝
２０    操作板
２０Ａ  操作板の一端部
２０Ｂ  操作板の他端部
２１    係合爪
２５    連結軸
３０    バンド
３１    係合溝
４０    スライド片
５０    回動片
６０    棚部
６２    傾斜面
【図１】
2013094301.tif 000003
【図２】
2013094301.tif 000004
【図３】
2013094301.tif 000005
【図４】
2013094301.tif 000006
【手続補正書】
【提出日】平成24年6月1日(2012.6.1)
【手続補正１】
【補正対象書類名】明細書
【補正対象項目名】全文
【補正方法】変更
【補正の内容】
【発明の詳細な説明】
【技術分野】
【０００１】
この発明は、係合溝を有するバンドまたはベルトを係止するためのバックルに関し、特に、運動靴、競技用靴、スノーボード靴、プロテクター係止ベルトなど、比較的強い締結力を必要とする製品のためのバックルに関するものである。
【背景技術】
【０００２】
従来、バンド（またはベルト）に係合溝を設け、この溝にバックルのフックを弾性的に係合し、随時、この係止状態を解放可能とするバックルが知られている。
本発明者らは、特許第３９８２９５５号公報（特許文献１）において、製作が容易で、軽量な合成樹脂バックルとして、対向する底板と天井枠および両者を接続する両側板とからなり、内部が係合溝を有するバンドの挿通空間とされたバックル本体と、前記天井枠の内側に水平設置され、一端部下面に前記バンドの係合溝に係合可能な係合爪を有し、他端部上面を押圧部とする操作板とから構成され、該操作板を前記係合爪と前記押圧部の中間点にて、対向する天井枠の二辺に各々連結することにより、該中間点を支点として揺動自在とした合成樹脂製バックルであって、前記バンドの外表面と前記天井枠に、前記バックル本体に該バンドを片手の指先で引き寄せることのできる一対の掛止突起を設けた合成樹脂製バックルを提案している。
【０００３】
前記合成樹脂製バックルは機能的に非常に優れ、ヘルメットのヘッドバンド用バックルとしては最適であるが、前記操作板の係合・解除における操作性を良くする為に操作板を支承する連結軸を細くすると、これを運動靴等の比較的強い締結力を必要とする製品に適用した場合、バンドとバックルの係止時においてバンドにバックルから引き離す方向に強い力が作用して、合成樹脂製の連結軸が破損する虞があった。
【０００４】
また、本発明者らは、特許第４００５１０９号（特許文献２）において、特に服飾品等の用途として好適なバンドとバックルのスライドアジャスタとして、軽量でシンプルな構成であって、バックル部の目立たない外観を有するスライドアジャスタとして、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなり、かつ、前記連結軸から掛止突起に至る操作板に対して、該掛止突起以外の部分に垂直方向の押圧力が直接作用するのを規制する部材がバックル本体に設けられたものを提案している。
【０００５】
このスライドアジャスタには規制部材が設けられているので、不用意なまたは突発的なロック解除の虞はないものの、前記押圧部または掛止突起に直接作用する押圧力に対しては、ロック解除を防止することはできない。また、前記バックルをバンドから引き抜く際には、前記押圧部を押圧しながら前記バックルを引き抜かなければならないので、操作が煩雑であるという問題があった。
【先行技術文献】
【特許文献】
【０００６】
【特許文献１】特許第３９８２９５５号公報
【特許文献２】特許第４００５１０９号公報
【発明の概要】
【発明が解決しようとする課題】
【０００７】
本発明は、軽量かつ製作が容易であることに加えて、前記操作板に直接作用する押圧力に対しても係合解除を防止することのできるロック機構付きバックルを提供することを目的とするものである。
また、本発明は、スライド片の操作のみで容易に係合ロックおよび係合解除を可能とし、スライド片が連結軸上にあるときはスライド片の作用により、バンドはバックルに接近自在であるが後退不能とされるので、連結軸を弾性のある素材で形成したり、連結軸にバネを用いたりする必要がなく、連結軸の素材を自由に選択してより強度の高いバックルを提供することを目的とするものである。
【課題を解決するための手段】
【０００８】
本発明は、バンド外表面に形成した鋸歯状の係合溝にバックルの係合爪を係合可能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する操作板とから構成され、該操作板を中間点にて前記両側板を結ぶ連結軸で支承することにより該中間点を支点として揺動自在としたバックルにおいて、前記操作板の上部を水平方向に移動可能なスライド片が前記バックル本体に設置され、該スライド片が前記連結軸上にあるときは、バンドはバックルに接近自在であるが後退不能とされ、前記スライド片が前記操作板の一端部側に移動した状態においては前記操作板の揺動が規制され、前記スライド片が前記操作板の他端部側に移動した状態では前記係合が解除されることを特徴とする。
【０００９】
前記スライド片上に掛止部を設けたことが好ましい。
前記バックルとバンドを片手の指先で引き寄せることができるように前記天井枠上に掛止部を設けたことが好ましい。
【００１０】
前記スライド片の移動をガイドすると共に該スライド片の前記操作板の上部における位置を決めるためのスライド溝を前記天井枠の内側に設けたことが好ましい。
【００１１】
本発明は、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成されると共に、該操作板を中間点にて前記両側板を結ぶ連結軸で支承することにより該中間点を支点として揺動自在としたバックルにおいて、一方向の長さがこれと直交する方向の長さよりも長い回動片が前記操作板の一端部上に９０度回動自在に設置され、かつ、該回動片の長手方向の少なくとも一端部を前記天井枠側から受ける棚部が前記天井枠に形成されてなり、該棚部と前記回動片の一端部との係合状態において前記操作板の揺動が規制されることを特徴とする。
【００１２】
本発明は、バンド外表面に形成した鋸歯状の係合溝にバックルの係合爪を係合させ該係止状態においてバンドはバックルに接近自在であるが後退不能としたバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有する弾性片と、前記両側板に設置され、該弾性片を両側部から押圧する押圧片とから構成し、該押圧片を片手の指先で撮むことにより前記弾性片を弾発して前記係合溝と係合爪との係合を解除可能としたバックルにおいて、一方向の長さがこれと直交する方向の長さよりも長い回動片が前記弾性片上に９０度回動自在に設置され、かつ、該回動片の長手方向の少なくとも一端部を前記天井枠側から受ける棚部が前記天井枠に形成されてなり、該棚部と前記回動片の一端部との係合状態において前記弾性片の弾発が規制されることを特徴とする。
【発明の効果】
【００１３】
本発明のバックルは、前記操作板に直接作用する押圧力に対しても係合解除を防止することができる。
また、スライド片を設けたバックルについては、スライド片の操作のみで容易に係合ロックおよび係合解除を可能とし、スライド片が連結軸上にあるときはスライド片の作用により、バンドはバックルに接近自在であるが後退不能とされるので、連結軸を弾性のある素材で形成したり、連結軸にバネを用いたりする必要がなく、連結軸の素材を自由に選択してより強度の高いバックルを提供することができる。
従って、このバックルは運動靴等の比較的強い締結力を必要とする製品への適用が最適である。
【図面の簡単な説明】
【００１４】
【図１】バックル１０の斜視図である。
【図２】バックル１０とバンド３０の係合状態を示す要部縦断側面図である。
【図３】バックル１０の他の実施形態の斜視図である。
【図４】回動片６０によるロック機構を示す要部縦断側面図である。
【発明を実施するための形態】
【００１５】
以下、本発明に係るロック機構付きバックルの実施形態を図面に基づいて説明する。
図１はバックル１０の斜視図であり、これらの図において、バックル１０は、底板１１、これに対向する天井枠１２、および底板１１と天井枠１２とを接続する側板１３、１３とからなる偏平かつ筒状のバックル本体１４により主体が構成される。バックル本体１４はバンドのスライド方向が挿通口１５、１５として開口され、その内部は後述する係合溝を有するバンド３０の挿通空間１６となる。
【００１６】
本実施形態では、底板１１の長手方向（バンドのスライド方向）の長さを天井枠１２の長手方向の長さよりも長くすることにより、バックル１０の被接続体（即ち、運動靴用バンド等）への取付を容易にすると共に、バンドの挿通がスムーズに行われるようにすることができる。また、天井枠１２を偏平な板で構成すると共に、操作板２０の一端部２０Ａに対向する天井枠１２を操作板２０と反対方向水平に延伸することによっても同様の効果を得ることができる。
【００１７】
天井枠１２の内側には、その内に納まる大きさの操作板２０が水平に設置される。操作板２０の一端部２０Ａの下面には、バンド３０の係合溝に係合可能な係合爪２１（後記図２を参照。）を突設している。操作板２０は天井枠１２より若干低位置とすることにより、操作板２０の一端部２０Ａまたは他端部２０Ｂが不用意に押し下げられることを防止することができる。
【００１８】
操作板２０の長手方向の中間部には、連結軸２５が形成され、この連結軸２５は各側板１３、１３の上部内壁に支承されている。
この実施形態では連結軸２５の断面を矩形としたが、円形、楕円形、その他種々の断面形状とすることができる。連結軸２５は操作板２０を揺動自在に軸支すると共に、滑らかな操作性を確保する為に可及的に細くすることが望まれるが、反復的な揺動により破損しない形状、大きさとすれば良い。なお、連結軸２５は側板１３、１３に限らず、対向する天井枠１２の二辺に各々連結されていても、後述する作用と同じ作用を発揮することができる。
【００１９】
バックル１０の天井枠１２の内側には、スライド片４０をスライドさせるためのスライド溝１７、１７が形成される。図１（２）および（３）は、スライド片４０がスライド溝１７、１７に沿って動く状態を示した斜視図である。スライド片４０の表面には、掛止部４２が上方に突出して設けられている。掛止部４２はスライド片４０に必ずしも設ける必要はないが、これを設けることによりスライド片４０のスライド操作を容易とすることができる。本実施形態においてスライド片は矩形の形状としたが、必ずしも矩形でなくともよい。
【００２０】
続いて、上記バックル１０の作用について図２を参照しながら説明する。  図２（１）はバックル１０とバンド３０の係合状態を示す要部縦断側面図である。
図２（１）において、バックル１０の挿通空間１６内にバンド３０が挿入され、バンド３０の外表面に形成された係合溝３１に、バックル１０の係合爪２１が係合している。係合溝３１はスライド方向の断面形状が鋸歯状、即ち、バンド３０の進行方向に向けて漸次深くなるテーパ面と、この最深位置より略垂直に立上る壁面とからなっている。
【００２１】
スライド片４０が連結軸２５上に位置するときは、バンド３０を操作板２０の他端部２０Ｂ側（図２において左側）の挿通口１５から挿通空間１６内に進入させていくと、バンド３０の上面が操作板２０の係合爪２１に接触して、操作板２０の一端部２０Ａを押し上げながら前進し（図２（２）を参照。）、バックル１０に対するバンド３０の接近・離隔位置が調節される。
この状態では、図２（１）に示すように、係合爪２１が所定の係合溝３１と噛み合って係止しているので、バンド３０はバックル１０に対して進出自在であるが、後退不能である。
【００２２】
次に、本発明のスライド片によるロック機構について説明する。
前記の通り図２（１）はバンド３０の係合溝３１とバックル１０の係合爪２１との係止状態を示しているが、このときスライド片４０は連結軸２５上に位置しており、操作板２０の他端部２０Ｂに垂直方向の押圧力が作用すると前記係合が解除される。
ここで、図１（２）に示すようにスライド片４０を操作板２０の一端部２０Ａ側にスライド溝１７、１７に沿ってスライドさせれば、スライド片４０により操作板２０の回転が規制されることになり、この状態では他端部２０Ｂは押されても動かない。図２（３）はこの他端部２０Ｂのロック状態を示している。
本実施形態において、スライド片４０の下面が操作板２０の一端部２０Ａの上面に当接するように設定したが、スライド片４０の下面は操作板２０の一端部２０Ａの上面に必ずしも当接しなくても良く、ロック状態におけるスライド片４０の下面と操作板２０の一端部２０Ａの上面との距離は、係合爪２１が係合溝３１から外れない程度に操作板２０の回転が規制される長さとすれば良い。
【００２３】
次に、バックル１０からバンド３０を後退させたり、引き抜いたりするには、図１（３）に示すようにスライド片４０を操作板２０の他端部２０Ｂ側にスライド溝１７、１７に沿ってスライドさせれば、図２（４）に示すように、連結軸２５を中心として操作板２０が回転する結果、反対側に位置するする係合爪２１が持ち上がり、係合爪２１が係合溝３１から外れるので、バンド３０を自由にスライドさせることができる。スライド片４０をスライド溝１７、１７に沿って連結軸２５上にスライドさせれば、操作板２０は元の水平状態に復帰する。
【００２４】
バックルの他の実施形態について図３を参照しながら説明する。
本実施形態では、スライド片４０上に凹状の掛止部４２が設けられている。
また、天井枠１２上に突起状の掛止部１８が設けられており、これにより本実施形態におけるバックルと外表面上に掛止部を設けたバンドとを片手の指先で引き寄せることが可能となる。
【００２５】
バックル１０は、合成樹脂により成型した上で、連結軸２５を金属製として強度を高めることができる。これにより、バンド３０をバックル１０から分離する方向に強い力が作用した時に連結軸の破損を防止することができる。
【００２６】
続いて、回動片によるロック機構について、図４を参照しながら説明する。
本発明のバックル１０は操作板２０の他端部２０Ｂが押圧部２２とされる。
本実施形態において回動片５０は、バンド３０の挿通方向の長さがこれと直交する方向の長さよりも長く、回動軸により操作板２０の一端部２０Ａ上に９０度回動自在に設けられている。９０度の回動が担保されれば回動片５０の形状には特別の制限はない。
【００２７】
天井枠１２には、回動片５０の長手方向の端部を天井枠１２側から受ける棚部６０が９０度の回動位置に至るまで漸次下降するような傾斜面６２として形成されている。棚部６０は回動片５０を天井枠１２側から支持することのできる大きさであれば良い。
【００２８】
図４（１）はバンド３０の係合溝３１とバックル１０の係合爪２１との係止状態を示しているが、このとき回動片５０は天井枠１２の棚部６０とは係合状態になく、押圧部２２に垂直方向の押圧力が作用するとバックル３０とバンド１０の係合が解除される。
この状態から、回動片５０を回動させると、回動片５０の長手方向両端部が傾斜面６２に沿って天井枠１２側から底板１１方向に移動し、操作板２０の一端部２０Ａに位置する係合爪が押し下げられてバンド３０の係合溝３１と強く噛み合う。図４（２）はこの強固なロック状態を示す要部縦断側面図である。
【００２９】
続いて、回動片と弾性片を用いたバックルについて説明する。
本発明におけるバックルの天井枠の内側には、その内に納まる大きさの弾性片が水平に設置される。弾性片の一端部の下面には、バンドの係合溝に係合可能な係合爪を突設する。
【００３０】
前記側板には、前記弾性片の両側部から押圧する押圧片が設置される。押圧片の端面は前記弾性片の対向辺に傾斜面をもって対向し、該傾斜面の角度を前記底板に近づくに従って前記押圧片と前記弾性片との隙間が狭まるように形成される。または前記弾性片の端面を前記押圧片の対向辺に傾斜面をもって対向させ、該傾斜面の角度を前記底板に近づくに従って前記押圧片と前記弾性片との隙間が拡がるように形成しても良い。
【００３１】
続いて、上記バックルの作用について説明する。
バンドを弾性片の他端部側の挿通口から挿通空間内に進入させていくと、バンドの上面が弾性片の係合爪に接触して、弾性片の一端部を押し上げながら前進し、バックルに対するバンドの接近・離隔位置が調節される。
この状態では、係合爪が所定の係合溝と噛み合って係止しているので、バンドはバックルに対して進出自在であるが、後退不能である。
【００３２】
次に、バックルからバンドを後退させたり、引き抜いたりするには、押圧片を片手の指先で撮めば、押圧片（または弾性片）の傾斜面に沿って弾性片が持ち上がる結果、これに伴い係合爪が持ち上がり、係合爪が係合溝から外れるので、バンドを自由にスライドさせることができる。押圧片から指を離せば、押圧片は合成樹脂の弾性により元の位置に復帰する結果、弾性片も元の水平状態に復帰する。
回動片を用いたロック機構については、前述の通りである。
【００３３】
本発明において天井枠１２は、必ずしも四辺を備えたものに限られない。操作板２０の一端部２０Ａと対向する一辺については、バックルを軽量化、小型化する場合には、これを省略することができる。
【００３４】
本発明のバックル１０には、前記した特許文献１および特許文献２に開示した要素を取り入れることができる。例えば、連結軸２５の代わりに操作板２０の上縁部と天井枠１２の上部とを連結する連結辺（図示せず。）を用いても良い。
また、操作板２０を水平状態に復元し易くするために操作板２０の一端部２０Ａと対向する天井枠１２等とを連結した連結部材（図１または図３を参照。）を設けても良い。更に、挿通空間１６にはバンド３０の浮き上がりを防止するためのバンド押え（図示せず。）を設けることも可能である。
【符号の説明】
【００３５】
１０    バックル
１１    底板
１２    天井枠
１３    側板
１４    バックル本体
１６    挿通空間
１７    スライド溝
２０    操作板
２０Ａ  操作板の一端部
２０Ｂ  操作板の他端部
２１    係合爪
２５    連結軸
３０    バンド
３１    係合溝
４０    スライド片
５０    回動片
６０    棚部
６２    傾斜面
【手続補正２】
【補正対象書類名】図面
【補正対象項目名】図１
【補正方法】変更
【補正の内容】
【図１】
2013094301.tif 000007